(57)【要約】【課題】電気的に簡素な構成で、原稿の自動搬送が停止されているときに原稿詰まりを判断する。【解決手段】ＡＤＦユニット６１による原稿Ｓの自動搬送が停止されている状態で、マーク対向領域３２ｃを読み取るよう、自動搬送される原稿Ｓを読み取るためのセンサーであるＣＩＳ７４を制御してスキャン処理を実行し、マーク２２ｂが検出されるときに搬送経路６２内に紙ジャムが発生していないことを判断し、マーク２２ｂが検出されないときに搬送経路６２内に紙ジャムが発生していることを判断する。このため、搬送経路６２内の原稿Ｓの有無を検出する専用のセンサーを用いることなく、原稿を読み取るためのセンサーであるＣＩＳ７４を用いて、搬送経路６２内に紙ジャムが発生しているか否かを判断することができる。【選択図】図３
2013145938.tif 000002
【特許請求の範囲】
【請求項１】
搬送経路に沿って原稿を自動搬送する自動搬送機構と、
前記自動搬送される原稿を読み取る読取手段と、
該読取手段による読み取りが可能となるよう前記搬送経路内に該読取手段側に向けて配置される所定のマークと、
前記自動搬送機構による原稿の自動搬送が停止されている状態で前記所定のマークに対向するマーク対向領域を読み取るよう前記読取手段を制御するマーク検出制御を実行し、前記所定のマークが検出されるときに前記搬送経路内に原稿詰まりが発生していないと判断し、前記所定のマークが検出されないときに前記搬送経路内に原稿詰まりが発生していると判断する原稿詰まり判断手段と、
を備える原稿読取装置。
【請求項２】
請求項１記載の原稿読取装置であって、
前記読取手段は、主走査方向に沿った所定の領域を読取領域として前記自動搬送される原稿を読み取る手段であり、
前記所定のマークは、前記読取領域から副走査方向に外れた位置に配置されてなり、
前記読取手段を副走査方向に移動させる移動手段を備え、
前記原稿詰まり判断手段は、原稿詰まりが発生しているか否かを判断する際には、前記読取手段が前記読取領域から前記マーク対向領域に移動するよう前記移動手段を制御してから、前記マーク検出制御を実行する手段である
原稿読取装置。
【請求項３】
請求項２記載の原稿読取装置であって、
前記原稿詰まり判断手段は、原稿詰まりが発生していないと判断したときには、前記読取手段が前記マーク対向領域から前記読取領域に移動するよう前記移動手段を制御する手段である
原稿読取装置。
【請求項４】
請求項２または３記載の原稿読取装置であって、
前記所定のマークは、前記読取領域よりも前記搬送経路の下流側に配置されてなる
原稿読取装置。
【請求項５】
請求項１ないし４いずれか１項に記載の原稿読取装置であって、
前記自動搬送機構による原稿が自動搬送されている状態で、前記マーク検出制御とは異なる手法により原稿詰まりの発生を検出する原稿詰まり検出手段を備え、
前記原稿詰まり判断手段は、前記原稿詰まり検出手段により原稿詰まりの発生が検出されたときに、前記マーク検出制御を実行して原稿詰まりが発生しているか否かを判断する手段である
原稿読取装置。
【請求項６】
請求項５記載の原稿読取装置であって、
ユーザーに各種報知を行なう報知手段と、
ユーザーからの各種操作を受け付ける受付手段と、
を備え、
前記原稿詰まり判断手段は、前記原稿詰まり検出手段により原稿詰まりの発生が検出されたときに、前記搬送経路内の原稿を取り除く旨の指示をユーザーに報知するよう前記報知手段を制御してユーザーから原稿を取り除いた旨の操作が前記受付手段を介して受け付けられてから、前記マーク検出制御を実行して原稿詰まりが発生しているか否かを判断する手段である
原稿読取装置。
【請求項７】
請求項１ないし６いずれか１項に記載の原稿読取装置であって、
前記読取手段は、主走査方向の幅が異なる複数種の原稿を読み取り可能な手段であって、
前記自動搬送機構は、原稿の幅に拘わらず主走査方向における所定位置を基準として、前記搬送経路に原稿を自動搬送する機構であり、
前記所定のマークは、主走査方向における前記所定位置の近傍に配置されてなる
原稿読取装置。
【請求項８】
搬送経路に沿って原稿を自動搬送する自動搬送機構と、前記自動搬送される原稿を読み取る読取手段と、該読取手段による読み取りが可能となるよう前記搬送経路内に該読取手段側に向けて配置される所定のマークと、を備える原稿読取装置における原稿詰まり判断方法であって、
前記自動搬送機構による原稿の自動搬送が停止されている状態で前記所定のマークに対向するマーク対向領域を読み取るよう前記読取手段を制御するマーク検出制御を実行し、前記所定のマークが検出されるときに前記搬送経路内に原稿詰まりが発生していないと判断し、前記所定のマークが検出されないときに前記搬送経路内に原稿詰まりが発生していると判断する
ことを特徴とする原稿詰まり判断方法。
【発明の詳細な説明】
【技術分野】
【０００１】
本発明は、原稿読取装置および原稿詰まり判断方法に関する。
【背景技術】
【０００２】
従来より、この種の原稿読取装置としては、自動原稿搬送機構（ＡＤＦ）により自動搬送される原稿を読取用のセンサーで読み取るものが提案されている（例えば、特許文献１参照）。この装置では、搬送中の原稿に接することにより回転するガイドローラーが読取用のセンサーに対向する位置に設けられており、そのガイドローラーには、原稿と接しない部分に全周に亘って等間隔でマークが付された回転速度検出用マークが形成されている。そして、原稿読取時には、回転速度検出用マークも含めて読取用のセンサーにより読み取り、回転速度検出用マークの読み取りにより得られるガイドローラーの回転速度が所定速度を下回ったことに基づいて、原稿の詰まりであるいわゆる紙ジャムの発生を検出する。これにより、原稿の有無を検出する専用のセンサーを設けることなく、読取用のセンサーを用いて紙ジャムの発生を検出して、ユーザーに対処を求めることができるとしている。
【先行技術文献】
【特許文献】
【０００３】
【特許文献１】特開２００５−３４３５８０号公報
【発明の概要】
【発明が解決しようとする課題】
【０００４】
上述した装置では、原稿の搬送中に紙ジャムを検出することはできるものの、原稿を搬送しなければガイドローラーが回転しないため原稿の搬送が停止されているときには紙ジャムを検出することができない。そのため、何らかの原因により、発生した紙ジャムが確実に解消されずＡＤＦ内に原稿が残存したまま、原稿の読み取りの開始が指示されると、残存している原稿を適切に検出できないために次の原稿の搬送を開始して再び紙ジャムが発生してしまうことがある。このため、原稿の搬送が停止されているときでも紙ジャムを適切に判断できることが求められている。
【０００５】
本発明の原稿読取装置および原稿詰まり判断方法は、電気的に簡素な構成で、原稿の自動搬送が停止されているときに原稿詰まりを判断することを主目的とする。
【課題を解決するための手段】
【０００６】
本発明の原稿読取装置および原稿詰まり判断方法は、上述の主目的を達成するために以下の手段を採った。
【０００７】
本発明の原稿読取装置は、
搬送経路に沿って原稿を自動搬送する自動搬送機構と、
前記自動搬送される原稿を読み取る読取手段と、
該読取手段による読み取りが可能となるよう前記搬送経路内に該読取手段側に向けて配置される所定のマークと、
前記自動搬送機構による原稿の自動搬送が停止されている状態で前記所定のマークに対向するマーク対向領域を読み取るよう前記読取手段を制御するマーク検出制御を実行し、前記所定のマークが検出されるときに前記搬送経路内に原稿詰まりが発生していないと判断し、前記所定のマークが検出されないときに前記搬送経路内に原稿詰まりが発生していると判断する原稿詰まり判断手段と、
を備えることを要旨とする。
【０００８】
この本発明の原稿読取装置では、自動搬送機構による原稿の自動搬送が停止されている状態で所定のマークに対向するマーク対向領域を読み取るよう読取手段を制御するマーク検出制御を実行し、所定のマークが検出されるときに搬送経路内に原稿詰まりが発生していないと判断し、所定のマークが検出されないときに搬送経路内に原稿詰まりが発生していると判断する。これにより、原稿の有無を検出する専用の検出手段を搬送経路内に設けることなく、自動搬送される原稿を読み取る読取手段を用いて、搬送経路内に原稿詰まりが発生しているか否かを判断することができる。この結果、電気的に簡素な構成で、原稿の自動搬送が停止されているときに原稿詰まりの発生を判断することができる。
【０００９】
また、本発明の原稿読取装置において、前記読取手段は、主走査方向に沿った所定の領域を読取領域として前記自動搬送される原稿を読み取る手段であり、前記所定のマークは、前記読取領域から副走査方向に外れた位置に配置されてなり、前記読取手段を副走査方向に移動させる移動手段を備え、前記原稿詰まり判断手段は、原稿詰まりが発生しているか否かを判断する際には、前記読取手段が前記読取領域から前記マーク対向領域に移動するよう前記移動手段を制御してから、前記マーク検出制御を実行する手段であるものとすることもできる。こうすれば、原稿の読み取りに所定のマークが影響を及ぼすことがないから、読取手段を原稿詰まりの判断に用いるものとしても、原稿読取時に不具合が生じるのを防止することができる。
【００１０】
この態様の本発明の原稿読取装置において、前記原稿詰まり判断手段は、原稿詰まりが発生していないと判断したときには、前記読取手段が前記マーク対向領域から前記読取領域に移動するよう前記移動手段を制御する手段であるものとすることができる。こうすれば、読取手段を原稿詰まりの判断に用いるものとしても、原稿詰まりが発生していないことが判断された後の原稿の読取開始が遅れるのを防止することができる。
【００１１】
また、これらの態様の本発明の原稿読取装置において、前記所定のマークは、前記読取領域よりも前記搬送経路の下流側に配置されてなるものとすることもできる。ここで、原稿が搬送経路内に詰まったときでも自動搬送機構の自動搬送が直ちに停止されない場合があるため、通常は、下流側での原稿詰まりの発生がより多くなる傾向にあると考えられる。このため、所定のマークを下流側に配置することで、より適切に原稿詰まりを判断することができる。
【００１２】
さらに、本発明の原稿読取装置において、前記自動搬送機構による原稿が自動搬送されている状態で、前記マーク検出制御とは異なる手法により原稿詰まりの発生を検出する原稿詰まり検出手段を備え、前記原稿詰まり判断手段は、前記原稿詰まり検出手段により原稿詰まりの発生が検出されたときに、前記マーク検出制御を実行して原稿詰まりが発生しているか否かを判断する手段であるものとすることもできる。こうすれば、原稿詰まりの発生が検出されたときに、実際に原稿詰まりが発生しているか否かを原稿の搬送を停止して判断することができるから、読取手段を用いて原稿詰まりを判断するものとした場合の信頼性を向上させることができる。
【００１３】
この態様の本発明の原稿読取装置において、ユーザーに各種報知を行なう報知手段と、ユーザーからの各種操作を受け付ける受付手段と、を備え、前記原稿詰まり判断手段は、前記原稿詰まり検出手段により原稿詰まりの発生が検出されたときに、前記搬送経路内の原稿を取り除く旨の指示をユーザーに報知するよう前記報知手段を制御してユーザーから原稿を取り除いた旨の操作が前記受付手段を介して受け付けられてから、前記マーク検出制御を実行して原稿詰まりが発生しているか否かを判断する手段であるものとすることもできる。こうすれば、ユーザーが原稿を取り除いたつもりであっても、実際には原稿が残存していることによる不具合の発生（例えば、誤って次の原稿の自動搬送が開始されて原稿詰まりが発生すること）を防止することができる。
【００１４】
そして、本発明の原稿読取装置において、前記読取手段は、主走査方向の幅が異なる複数種の原稿を読み取り可能な手段であって、前記自動搬送機構は、原稿の幅に拘わらず主走査方向における所定位置を基準として、前記搬送経路に原稿を自動搬送する機構であり、前記所定のマークは、主走査方向における前記所定位置の近傍に配置されてなるものとすることもできる。こうすれば、所定のマークの数を最小限として効率よく原稿詰まりを判断することができる。ここで、所定位置の近傍とは、基準とされる所定位置から複数種の原稿のうち最も小さな原稿の幅に収まる範囲などとすることができる。
【００１５】
本発明の原稿詰まり判断方法は、
搬送経路に沿って原稿を自動搬送する自動搬送機構と、前記自動搬送される原稿を読み取る読取手段と、該読取手段による読み取りが可能となるよう前記搬送経路内に該読取手段側に向けて配置される所定のマークと、を備える原稿読取装置における原稿詰まり判断方法であって、
前記自動搬送機構による原稿の自動搬送が停止されている状態で前記所定のマークに対向するマーク対向領域を読み取るよう前記読取手段を制御するマーク検出制御を実行し、前記所定のマークが検出されるときに前記搬送経路内に原稿詰まりが発生していないと判断し、前記所定のマークが検出されないときに前記搬送経路内に原稿詰まりが発生していると判断する
ことを要旨とする。
【００１６】
この本発明の原稿詰まり判断方法では、自動搬送機構による原稿の自動搬送が停止されている状態で所定のマークに対向するマーク対向領域を読み取るよう読取手段を制御するマーク検出制御を実行し、所定のマークが検出されるときに搬送経路内に原稿詰まりが発生していないと判断し、所定のマークが検出されないときに搬送経路内に原稿詰まりが発生していると判断する。これにより、搬送経路内に原稿の有無を検出する専用の検出手段を設けることなく、自動搬送される原稿を読み取る読取手段を用いて、搬送経路内に原稿詰まりが発生しているか否かを判断することができる。この結果、電気的に簡素な構成で、原稿の自動搬送が停止されているときに原稿詰まりの発生を判断することができる。なお、この原稿詰まり判断方法において、上述した原稿読取装置のいずれかの態様を追加するものとしてもよい。
【図面の簡単な説明】
【００１７】
【図１】プリンター２０の構成の概略を示す構成図。
【図２】筐体カバー２２を開けた状態のプリンター２０の外観図。
【図３】スキャナーユニット５０の構成の概略を示す構成図。
【図４】紙ジャム解消判断処理ルーチンの一例を示すフローチャート。
【発明を実施するための形態】
【００１８】
次に、本発明の実施の形態を図面を用いて説明する。図１は、本発明の一実施形態であるプリンター２０の構成の概略を示す構成図であり、図２は、筐体カバー２２を開けた状態のプリンター２０の外観図であり、図３は、スキャナーユニット５０の構成の概略を示す構成図である。
【００１９】
本実施形態のプリンター２０は、図１に示すように、筐体２１と、筐体２１の上面を開閉可能な筐体カバー２２とにより構成されている。このプリンター２０は、カセット２５内にセットされている用紙を給紙し印刷して排紙トレイ２６に排紙するプリンターユニット４０と、原稿を光学的に読み取ってイメージデータを生成するスキャナーユニット５０と、メモリーカードスロット４４ａに挿入されたメモリーカードＭＣとの間でデータの入出力を司るメモリーカードコントローラー４４と、ユーザーによる各種操作が可能な操作パネル４５と、装置全体の制御を司るメインコントローラー９０と、を備える。筐体２１の上面には、図２に示すように、ガラス板３２が配設され、そのガラス板３２の一部の領域がフラットベッド（ＦＢ）読取領域３２ａとして用いられる。このＦＢ読取領域３２ａに載置された原稿を筐体カバー２２に設けられた原稿押さえ２３により固定して、スキャナーユニット５０で光学的に読み取ることができるようになっている（以下、この読み取りの動作をＦＢ読取動作という）。また、筐体カバー２２の上部には、原稿を１枚ずつ連続的に自動搬送するオートドキュメントフィーダーユニット６１（以下、ＡＤＦユニット６１）が内蔵されており（図３参照）、ガラス板３２のＦＢ読取領域３２ａと異なる領域がＡＤＦユニット６１で自動搬送される原稿を読み取るためのＡＤＦ読取領域３２ｂとして用いられる。そして、筐体カバー２２が閉じられている状態で、ＡＤＦユニット６１により自動搬送される原稿が筐体カバー２２の下面に形成されて透明なフィルム２４で覆われた開口部２２ａを通過すると、ＡＤＦ読取領域３２ｂ上を通過してスキャナーユニット５０で光学的に読み取ることができるようになっている（以下、この読み取りの動作をＡＤＦ読取動作という）。また、開口部２２ａは、ＡＤＦ読取領域３２ｂよりも副走査方向に大きな開口幅をもって開口している。なお、ＦＢ読取領域３２ａの副走査方向の端部には、いわゆるシェーディング補正を行なうための白基準板３６が設けられている。
【００２０】
プリンターユニット４０は、図１に示すように、プリンターＡＳＩＣ４１とプリンター機構４２とを備える。プリンターＡＳＩＣ４１は、プリンター機構４２を制御する集積回路であり、メインコントローラー９０から印刷指令を受けると、印刷指令の対象となる画像ファイルに基づいて用紙に画像を印刷するようプリンター機構４２を制御する。プリンター機構４２は、印刷ヘッドから用紙へインクを吐出することにより印刷を行なう周知のインクジェット方式のカラープリンター機構として構成されている。なお、プリンターユニット４０は、本発明の要旨をなさないから、これ以上の説明は省略する。
【００２１】
スキャナーユニット５０は、スキャナーＡＳＩＣ５１と、スキャナー機構６０とを備える。スキャナーＡＳＩＣ５１は、スキャナー機構６０を制御する集積回路であり、メインコントローラー９０からのスキャン指令を受けると、ＦＢ読取動作かＡＤＦ読取動作のいずれかで原稿をイメージデータとして読み取るようスキャナー機構６０を制御する。
【００２２】
スキャナー機構６０は、図３に示すように、ＡＤＦ原稿トレイ２７にセットされた原稿ＳをＡＤＦ読取領域３２ｂに対向する開口部２２ａまで自動搬送してＡＤＦ排紙トレイ２８に排紙するＡＤＦユニット６１と、ＦＢ読取領域３２ａやＡＤＦ読取領域３２ｂなどを含むガラス板３２に向けて光を照射する光源ユニット７１と、光源ユニット７１から照射されて原稿Ｓなどで反射した反射光を受光して電荷として蓄えることにより原稿Ｓなどの画像を読み取るＣＩＳ７４と、光源ユニット７１とＣＩＳ７４とを搭載するキャリッジ７６と、キャリッジモーター７８ａと従動ローラー７８ｂとに架け渡されたベルト７９をキャリッジモーター７８ａで駆動することによりキャリッジ７６を主走査方向に直交する副走査方向に往復動させる移動機構７７とを備える。なお、本実施形態では、ＡＤＦユニット６１が、Ａ４やＢ５，Ａ５，Ｂ６のサイズ（主走査方向の幅）の異なる４種類の原稿Ｓを搬送可能なものとする。ＡＤＦ原稿トレイ２７は、図１に示すように、筐体カバー２２の上面側に取り付けられ、セットされる原稿Ｓの幅方向の位置合わせに用いられる固定ガイド２９ａと、セットされる原稿Ｓのサイズ（幅）に合わせてスライド操作が可能な可動ガイド２９ｂとを有し、原稿Ｓを搬送（挿入）方向に沿ってガイドするガイド２９が取り付けられている。このため、ＡＤＦ原稿トレイ２７にセットされる原稿Ｓは、そのサイズ（主走査方向の幅）に拘わらず、主走査方向で固定ガイド２９ａの位置を基準として搬送されることになる。
【００２３】
ＡＤＦユニット６１は、図３に示すように、ＡＤＦ原稿トレイ２７付近に配置されたピックアップローラー６３と、搬送経路６２に配置された複数の搬送ローラー６４と、ＡＤＦ排紙トレイ２８付近に配置された排紙ローラー６５とを備える。そして、ＡＤＦユニット６１では、各ローラー６３，６４，６５を搬送モーター６６で回転駆動させることにより、ＡＤＦ原稿トレイ２７にセットされた原稿Ｓを一枚ずつ取り込んで搬送経路６２内を自動搬送してＡＤＦ排紙トレイ２８に排紙する。なお、本実施形態のＡＤＦ６１は、搬送経路６２内を通過する原稿Ｓを検出するための専用のセンサーが設けられない構成となっている。
【００２４】
また、搬送経路６２（開口部２２ａ内）には、図２に示すように、マーク２２ｂがＣＩＳ７４による読み取りが可能となるようにＣＩＳ７４側（筐体カバー２２の下面側）に向けて配置されている。このマーク２２ｂは、図２の拡大図に示すように、白色の領域上に黒色に塗られた矩形状の領域が並んで、主走査方向に反射率の異なる白黒のパターンとして形成されている。また、マーク２２ｂは、透明なフィルム２４を介して識別可能となっており、筐体カバー２２が閉じられている状態でマーク２２ｂと対向するガラス板３２の領域をＣＩＳ７４で読み取ることにより、マーク２２ｂの白黒のパターンによるＣＩＳ７４の出力の切り替わりに基づいてマーク２２ｂを検出することができる。以下、このマーク２２ｂと対向するガラス板３２の領域をマーク対向領域３２ｃという。また、マーク２２ｂは、副走査方向において、搬送経路６２内のＡＤＦ読取領域３２ｂに対向する位置よりも原稿Ｓの搬送方向の下流側（以下、搬送経路６２内の下流側という）に外れた位置に配置されており、マーク対向領域３２ｃは、ＡＤＦ読取領域３２ｂとＦＢ読取領域３２ａとの間の領域となる。さらに、マーク２２ｂは、主走査方向において、開口部２２ａの主走査方向の範囲のうち固定ガイド２９ａが設けられている位置の近傍に配置されている。ここで、固定ガイド２９ａが設けられる位置の近傍は、固定ガイド２９ａが搬送される原稿Ｓの基準位置となることから、その基準位置から主走査方向の幅が最小の原稿Ｓの幅に収まる範囲などとすることができる。本実施形態では、固定ガイド２９ａから約６０ｍｍの位置（Ｂ６サイズの幅の略中央の位置）にマーク２２ｂの中心を合わせて配置するものとした。このため、搬送経路６２内の下流側を原稿Ｓが自動搬送されていたり、原稿Ｓの自動搬送中に搬送経路６２内で原稿Ｓが詰まるいわゆる紙ジャムが搬送経路６２内の下流側で発生したりしたときに、即ち搬送経路６２内の下流側に原稿Ｓが位置しているときに、その原稿Ｓのサイズに拘わらずマーク２２ｂは原稿Ｓで覆われることになる。
【００２５】
スキャナーＡＳＩＣ５１は、図３に示すように、各デバイスの制御を司る制御回路５２と、光源ユニット７１を駆動する光源駆動回路５４と、ＣＩＳ７４で生じたアナログ信号を図示しない増幅器を介して入力してデジタル信号に変換するＡ／Ｄ変換器５６と、制御回路５２からの制御信号を受けてキャリッジモーター７８ａや搬送モーター６６を駆動するモーター駆動回路５８とを備える。
【００２６】
操作パネル４５は、図１に示すように、筐体２１の中央に配置された表示部４６と、この表示部４６の左隣に配置された電源ボタン４７とを備える。表示部４６は、タッチパネル式の液晶ディスプレイとして構成されており、モードを選択するモードボタンや各種項目の選択・設定を行なう選択・設定ボタン，コピーや印刷を開始するスタートボタンなどを表示して、タッチ操作を受付可能となっている。ここで、モード選択ボタンにより選択可能なモードとしては、原稿Ｓをスキャンしてコピーするコピーモードや原稿Ｓをスキャンしデータ化してメモリーカードＭＣに保存するスキャンモード，メモリーカードＭＣに記憶された画像を用いて印刷する印刷モードなどがある。
【００２７】
メインコントローラー９０は、ＣＰＵ９１を中心とするマイクロプロセッサーとして構成されており、各種処理プログラムや各種データ、各種テーブルなどを記憶したＲＯＭ９２と、一時的にスキャンデータや印刷データを記憶するＲＡＭ９３と、操作パネル４５との通信を可能とするインターフェース（Ｉ／Ｆ）９４とを備える。このメインコントローラー９０は、プリンターユニット４０やスキャナーユニット５０からの各種動作信号や各種検出信号を入力したり、操作パネル４５のタッチ操作などに応じて発生する操作信号などを入力したりする。また、メモリーカードＭＣから画像ファイルを読み出してメインコントローラー９０へ出力する指令をメモリーカードコントローラー４４に出力したり、画像データの印刷を実行するようプリンターユニット４０に指令を出力したり、操作パネル４５からのスキャン指令に基づいてＦＢ読取領域３２ａに載置された原稿ＳやＡＤＦ原稿トレイ２７にセットされた原稿Ｓを画像データとして読み取るようスキャナーユニット４０に指令を出力したり、操作パネル４５に表示部４６の制御指令などを出力したりする。
【００２８】
こうして構成されたプリンター２０では、筐体カバー２２が閉状態でＡＤＦ原稿トレイ２７に原稿Ｓがセットされているときに操作パネル４５の操作によりスタートボタンがタッチ操作されると、メインコントローラー９０により上述したＡＤＦ読取動作が実行され、それと並行して搬送経路６２内に紙ジャムが発生したか否かを検出する紙ジャム発生検出処理が実行される。この紙ジャム発生検出処理の詳細は省略するが、上述したように、搬送経路６２内を搬送される原稿Ｓを検出するためのセンサーが設けられていないため、例えば、次のように行なわれる。ＡＤＦ読取動作の開始に伴って、搬送モーター６６を駆動して原稿Ｓの自動搬送を開始してからの搬送時間を計測しておき、計測した搬送時間が所定時間を超えてもＣＩＳ７４により継続して原稿Ｓが読み取られている（原稿Ｓの後端が検出されていない）ときに紙ジャムの発生を検出するものとした。ここで、所定時間としては、例えば、最も長さの長い原稿ＳをＡＤＦ排紙トレイ２８まで搬送するのに必要とされる時間にマージンを加えた時間などに定めることができる。このため、本実施形態では、４種類の原稿ＳのうちＡ４サイズの原稿Ｓの搬送に必要な時間にマージンが加えられることになる。また、紙ジャムの発生が検出されると、搬送モーター６６は駆動を停止すると共に光源ユニット７１は発光を停止し且つＣＩＳ７４による読み取りを停止して、ＡＤＦ読取動作が強制的に中止される。なお、原稿Ｓが搬送経路６２内に詰まって直ちにＡＤＦ６１が停止されるのではなく、搬送開始から所定時間を超えたときに紙ジャムが発生したとしてＡＤＦ６１が停止されるから、通常は、搬送経路６２内の下流側での紙ジャムがより多く発生する傾向にある。
【００２９】
次に、こうして構成された本実施形態のプリンター２０の動作、特に、ＡＤＦ読取動作の実行中に紙ジャムの発生が検出されたときに、その紙ジャムが解消したか否かを判断する際の動作について説明する。図４はメインコントローラー９０により実行される紙ジャム解消判断処理ルーチンの一例を示すフローチャートである。このルーチンは、上述した紙ジャム発生検出処理において、紙ジャムの発生が検出されたときに実行される。このため、ＡＤＦ読取動作は中止されているから、ＡＤＦユニット６１による原稿Ｓの自動搬送が停止されている状態で実行されることになる。
【００３０】
この紙ジャム解消判断処理ルーチンが実行されると、メインコントローラー９０のＣＰＵ９１は、まず、詰まった原稿Ｓを取り除いてＯＫボタンのタッチ操作を促す紙ジャムエラーメッセージを表示部４６に表示して（ステップＳ１００）、ＯＫボタンがタッチ操作されるのを待つ（ステップＳ１１０）。そして、ＯＫボタンがタッチ操作されると、キャリッジ７６がＡＤＦ読取位置にあるか否かを判定する（ステップＳ１２０）。ここで、ＡＤＦ読取位置は、ＣＩＳ７４がＡＤＦ読取領域３２ｂに対向し自動搬送される原稿Ｓを読み取ることができる位置として予め定められている。本ルーチンが実行されて最初にステップＳ１２０の処理が行なわれるときには、ＡＤＦ読取動作が強制的に中止されたままの状態であるため、ステップＳ１２０ではキャリッジ７６がＡＤＦ読取位置にあると判定する。
【００３１】
キャリッジ７６がＡＤＦ読取位置にあると判定すると、キャリッジ７６がマーク読取位置まで移動するようキャリッジモーター７８ａを駆動制御する（ステップＳ１３０）。ここで、マーク読取位置は、ＣＩＳ７４がマーク対向領域３２ｃに対向しマーク２２ｂを読み取ることができる位置として予め定められている。キャリッジ７６がマーク読取位置まで移動すると、スキャン処理を実行して（ステップＳ１４０）、マーク２２ｂを検出できたか否かを判定する（ステップＳ１５０）。なお、ステップＳ１４０のスキャン処理は、ＡＤＦユニット６１による原稿Ｓの自動搬送が停止されている状態でマーク対向領域３２ｃを読み取るようＣＩＳ７４を制御する、本発明のマーク検出制御に相当する。
【００３２】
ここで、マーク２２ｂは、上述したように、搬送経路６２内の下流側に原稿Ｓが位置しているときには、原稿Ｓのサイズに拘わらず原稿Ｓで覆われることになる。また、ＯＫボタンがタッチ操作された場合であっても、原稿Ｓが取り除かれる前に誤ってタッチ操作されて原稿Ｓがそのまま残存していたり、原稿Ｓが取り除かれる際にその一部が破断して原稿Ｓの一部が残存していたりすることがある。即ち、ＯＫボタンがタッチ操作されたものの実際には搬送経路６２内に原稿Ｓが残存している場合がある。その場合、搬送経路６２内の原稿Ｓによってマーク２２ｂが覆われるから、ＣＩＳ７４でマーク対向領域３２ｃを読み取ってもマーク２２を検出できないことになる。一方で、紙ジャムとなった原稿Ｓが確実に取り除かれていれば、ＣＩＳ７４でマーク対向領域３２ｃを読み取れば、マーク２２ｂを検出することができる。このため、マーク２２ｂを検出できたか否かの判定は、紙ジャムとなった原稿Ｓが搬送経路６２ｂから確実に取り除かれたか否かを判断するものとなる。このように、紙ジャムとなった原稿Ｓが取り除かれたか否かの判断（以下、紙ジャムの判断という）を、原稿読取用のセンサーであるＣＩＳ７４を用いて行なうことができる。
【００３３】
ステップＳ１５０でマーク２２ｂを検出できないときには、原稿Ｓが取り除かれておらず紙ジャムが解消されていない（紙ジャムが発生している）と判断して、ステップＳ１００に戻り処理を繰り返す。これにより、紙ジャムエラーメッセージが表示部４６に再度表示されることになるため、ユーザーに紙ジャムが解消されていないことを報知することができる。なお、マーク読取位置にキャリッジ７６を移動した以降は、ステップＳ１２０でキャリッジ７６はＡＤＦ読取位置にないと判定するから、ステップＳ１３０の処理を省略してステップＳ１４０のスキャン処理が実行されることになる。
【００３４】
一方、ステップＳ１５０でマーク２２ｂを検出できたときには、原稿Ｓが確実に取り除かれており紙ジャムが解消された（紙ジャムが発生していない）と判断し、キャリッジ７６がＡＤＦ読取位置まで移動するようキャリッジモーター７８ａを駆動制御して（ステップＳ１６０）、本ルーチンを終了する。このように、マーク２２ｂが検出できたとき即ち紙ジャムが解消されたと判断したときには、スタートボタンがタッチ操作される前に予めＣＩＳ７４をＡＤＦ読取位置に移動させるのである。
【００３５】
ここで、本実施形態の構成要素と本発明の構成要素との対応関係を明らかにする。本実施形態のＡＤＦユニット６１が本発明の「自動搬送機構」に相当し、ＣＩＳ７４が「読取手段」に相当し、マーク２２ｂが「所定のマーク」に相当し、図４の紙ジャム解消判断処理ルーチンを実行するメインコントローラー９０が「原稿詰まり判断手段」に相当する。また、移動機構７７が「移動手段」に相当し、ＡＤＦ読取動作と並行して紙ジャム発生検出処理を実行するメインコントローラー９０が「原稿詰まり検出手段」に相当し、タッチパネル式の表示部４６を備える操作パネル４５が「報知手段」と「受付手段」とに相当する。
【００３６】
以上説明した本実施形態のプリンター２０によれば、ＡＤＦユニット６１による原稿Ｓの自動搬送が停止されている状態でマーク対向領域３２ｃを読み取るようＣＩＳ７４を制御するマーク検出制御を実行し、マーク２２ｂが検出されるときに搬送経路６２内に紙ジャムが発生していないことを判断し、マーク２２ｂが検出されないときに搬送経路６２内に紙ジャムが発生していることを判断するから、自動搬送される原稿Ｓを読み取るＣＩＳ７４を用いて、搬送経路６２内に紙ジャムが発生しているか否かを判断することができる。この結果、搬送経路６２内に原稿Ｓの有無を検出する専用のセンサーを設けることなく、電気的に簡素な構成で、原稿Ｓの自動搬送が停止されているときに紙ジャムの発生を判断することができる。
【００３７】
また、マーク２２ｂはＡＤＦ読取領域３２ｂから外れて配置されるから、ＣＩＳ７４を紙ジャムの判断に用いるものとしても、ＡＤＦ読取動作に不具合が生じるのを防止することができる。さらに、紙ジャムが解消されたと判断すると、ＣＩＳ７４をマーク読取位置からＡＤＦ読取位置に移動させるから、ＡＤＦ読取動作を速やかに開始することができる。そして、マーク２２ｂは、搬送経路６２内の下流側に配置するから、上流側に配置するものに比して、紙ジャムとなった原稿Ｓにマーク２２ｂが覆われやすくなり、より適切に紙ジャムの判断をすることができる。また、ユーザーから原稿Ｓを取り除いた旨のＯＫボタンの操作が受け付けられたときに紙ジャムの判断をするから、ユーザーが原稿Ｓを取り除いたつもりであっても、実際には原稿Ｓが残存していることによる不具合、例えば、次に自動搬送される原稿Ｓが紙ジャムとなる不具合を防止することができる。さらに、マーク２２ｂは、自動搬送の基準となる固定ガイド２９ａの近傍に１つだけ配置されるから、１つのマーク２２ｂで各サイズの原稿Ｓの紙ジャムの判断をすることができ、マーク数を最小限として効率よく紙ジャムの判断をすることができる。
【００３８】
なお、本発明は上述した実施形態に何ら限定されることはなく、本発明の技術的範囲に属する限り種々の態様で実施し得ることはいうまでもない。
【００３９】
上述した実施形態では、ＡＤＦ６１により搬送される原稿Ｓの一方の面（図３中の下面）だけを読み取るものとして説明したが、これに限られず、原稿Ｓの一方の面を読み取ってから原稿Ｓを反転して再び搬送経路６２内を自動搬送しながら原稿Ｓの他方の面を読み取るものとしてもよい。原稿Ｓの他方の面を読み取る場合にも、一方の面だけを読み取る場合と同様に、紙ジャムが発生する可能性がある。このため、原稿Ｓの両方の面を読み取る場合においても、それぞれの面を読み取る際に、本実施形態と同様に紙ジャムの判断をするものとすればよい。
【００４０】
上述した実施形態では、マーク２２ｂをＡＤＦ読取領域３２ｂから副走査方向に外れた位置に配置するものとしたが、これに限られず、ＡＤＦ読取領域３２ｂに対向可能な位置に配置するものとしてもよい。この場合、ＡＤＦ読取動作の実行開始前や実行終了後などに紙ジャムの判断をするものなどとしてもよい。
【００４１】
上述した実施形態では、紙ジャムが解消されたと判断するとＣＩＳ７４をマーク読取位置からＡＤＦ読取位置に移動させるものとしたが、これに限られず、スタートボタンのタッチ操作を待ってＡＤＦ読取位置に移動させるものとしてもよい。この場合、図４の紙ジャム解消判断処理ルーチンにおいて、ステップＳ１６０を省略するものとすればよい。
【００４２】
上述した実施形態では、マーク２２ｂを搬送経路６２内の下流側に配置するものとしたが、これに限られず、搬送経路６２内の上流側（ＡＤＦ読取領域３２ｂに対向する位置よりも搬送方向の上流側）に配置するものとしてもよい。また、上流側か下流側のいずれか一方にマークを配置するものに限られず、上流側と下流側との両方にマークを配置するものとしてもよい。これにより、上流側か下流側の一方のみで紙ジャムが発生している場合であってもより適切に紙ジャムの判断をすることができる。
【００４３】
上述した実施形態では、紙ジャム発生検出処理により紙ジャムの発生が検出されたことを前提として紙ジャムの判断をするものとしたが、これに限られず、紙ジャムの発生が検出されていないときに紙ジャムの判断をするものとしてもよい。この場合、例えば、ＡＤＦ読取動作の実行開始前や実行終了後，ユーザーからの指示を受け付けたときなどに紙ジャムの判断をするものとすればよい。
【００４４】
上述した実施形態では、紙ジャム発生検出処理として原稿Ｓの搬送時間に基づく手法を例示したが、これに限られず、ＣＩＳ７４によりマーク２２ｂを検出する手法とは異なる手法により紙ジャムの発生を検出するものであれば如何なるものとしてもよい。例えば、搬送モーター６６の負荷を検出可能にしておき、搬送モーター６６の負荷が増えたことに基づいて紙ジャムの発生を検出するものなどとしてもよい。
【００４５】
上述した実施形態では、エラーメッセージを表示部４６に表示してＯＫボタンのタッチ操作がなされてから紙ジャムの判断をするものとしたが、これに限られず、紙ジャム発生検出処理により紙ジャムが発生されたときに紙ジャムの判断をするものとしてもよい。この場合、図４の紙ジャム解消判断処理ルーチンにおいて、ステップＳ１００，１１０を省略して残りの処理を行なうものとすればよい。
【００４６】
上述した実施形態では、図４の紙ジャム解消判断処理ルーチンにおけるステップＳ１１０，１３０でＯＫボタンがタッチ操作されてからキャリッジ７６をマーク読取位置まで移動させるものとしたが、これに限られず、ＯＫボタンがタッチ操作される前にキャリッジ７６を予めマーク読取位置まで移動させるものとしてもよい。
【００４７】
上述した実施形態では、マーク２２ｂを主走査方向の搬送時の基準となる位置に配置するものとしたが、これに限られず、主走査方向の任意の位置に複数配置するものとしてもよい。この場合、原稿Ｓの各サイズの幅の中央位置に配置するものなどとすればよい。
【００４８】
上述した実施形態では、ガイド２９のうちスライド不能な一方の固定ガイド２９ａを基準として原稿Ｓがセットされるものとしたが、これに限られず、スライドが可能な両側のガイドのセンターを基準として原稿Ｓがセットされるものとしてもよい。この場合、マーク２２ｂは、搬送経路６２の主走査方向におけるセンター近傍に配置するものなどとすればよい。
【００４９】
上述した実施形態では、マーク２２ｂとして白色の領域上に黒色の領域が並んだ白黒のパターンが形成されるものとしたが、これに限られず、他の色を用いたパターンが形成されるものとしてもよい。あるいは、このようなパターンが形成されるものに限られず、原稿Ｓと区別して検出可能なマークが配置されていればよく、例えば、原稿Ｓとは反射率の大きく異なる素材で形成されたマークが配置されるものなどとしてもよい。
【００５０】
上述した実施形態では、ＡＤＦ読取動作とＦＢ読取動作とを実行可能なものとしたが、これに限られず、ＡＤＦ読取動作のみを実行可能なものとしてもよい。この場合、筐体カバー２２を筐体２０と一体とした構成即ちカバーを備えない構成などとすればよい。
【００５１】
上述した実施形態では、原稿Ｓなどで反射した反射光をＣＩＳを用いて受光するものとしたが、これに限られず、ＣＣＤイメージセンサーを用いるものとしてもよい。
【００５２】
上述した実施形態では、本発明をスキャナー機能以外にプリンター機能を備えるプリンター２０に適用して説明したが、プリンター機能を備えないスキャナー単体機に適用するものとしてもよいし、プリンター機能以外にＦＡＸ機能を備えるものに適用するものとしてもよい。
【符号の説明】
【００５３】
２０  プリンター、２１  筐体、２２  筐体カバー、２２ａ  開口部、２２ｂ  マーク、２３  原稿押さえ、２４  フィルム、２５  カセット、２６  排紙トレイ、２７  ＡＤＦ原稿トレイ、２８  ＡＤＦ排紙トレイ、２９  ガイド、２９ａ  固定ガイド、２９ｂ  可動ガイド、３２  ガラス台、３２ａ  ＦＢ読取領域、３２ｂ  ＡＤＦ読取領域、３２ｃ  マーク対向領域、３６  白基準板、４０  プリンターユニット、４１  プリンターＡＳＩＣ、４２  プリンター機構、４４  メモリーカードコントローラー、４４ａ  メモリーカードスロット、４５  操作パネル、４６  表示部、４７  電源ボタン、５０  スキャナーユニット、５１  スキャナーＡＳＩＣ、５２  制御回路、５４  光源駆動回路、５６  Ａ／Ｄ変換器、５８  モーター駆動回路、６０  スキャナー機構、６１  オートドキュメントフィーダー（ＡＤＦ）ユニット、６２  搬送経路、６３  ピックアップローラー、６４  搬送ローラー、６５  排紙ローラー、６６  搬送モーター、７１  光源ユニット、７４  ＣＩＳ、７６  キャリッジ、７７  移動機構、７８ａ  キャリッジモーター、７８ｂ  従動ローラー、７９  ベルト、９０  メインコントローラー、９１  ＣＰＵ、９２  ＲＯＭ、９３  ＲＡＭ、９４  インターフェース（Ｉ／Ｆ）、ＭＣ  メモリーカード、Ｓ  原稿。
【図１】
2013145938.tif 000003
【図２】
2013145938.tif 000004
【図３】
2013145938.tif 000005
【図４】
2013145938.tif 000006